【手続補正書】
【提出日】令和2年9月4日(2020.9.4)
【手続補正１】
【補正対象書類名】明細書
【補正対象項目名】００１４
【補正方法】変更
【補正の内容】
【００１４】
請求項２の発明は、前記「頭受け部」２には、前記「略中央部」から仰臥した場合、肩に接する側になる前記長側面前１０の間にスリット５と一体の円、或はスリット５と一体の楕円、スリット５と一体の多角形の、空洞孔４、或は円、或は楕円、多角形の、空洞孔４を頭の横幅以上の長さで、前記長側面前１０に平行に一本或は、複数本備えた事、を含む事を特徴とする。（図１参照）
【手続補正２】
【補正対象書類名】明細書
【補正対象項目名】００１５
【補正方法】変更
【補正の内容】
【００１５】
請求項３の発明は、前記「頭受け部」２には、前記「略中央部」から仰臥した場合、肩に接する側になる前記長側面前１０の間の天面３６から底面３７の途中まで切れ目である隠しスリット１７を複数入れることで多角形の柱状の複数のブロックの集合体とする事、を含む事を特徴とする。（図１２参照）
【手続補正３】
【補正対象書類名】明細書
【補正対象項目名】００２４
【補正方法】変更
【補正の内容】
【００２４】
請求項２によれば、枕に頭部が必要以上沈下した場合は、肩から伸長した首部（頸椎部）は頭の沈降に追従できず、首部下の枕の反発力で前湾曲が強くなり、必要なだけ沈降しなかった場合は、首部は首部の下の枕に押し付けられ前湾曲が小さくなりストレートネック状態になっていたが、「低反発軟質発泡樹脂」からなる前記枕１の「頭受け部」２の「略中央部」と仰臥した場合、肩に接する側になる長側面前１０の間にスリット５と一体の円、或はスリット５と一体の楕円、スリット５と一体の多角形からなる空洞孔４、或は円、或は楕円、多角形からなる空洞孔４を、頭の横幅以上の長さで、前記長側面前１０に平行に設けた事で、頭３５、首２９部からの負荷は「頭受け部」２の空洞部孔４が変形する事で吸収される事で、首２９への反力が減少し枕１による肩こりが解消された。（図１、図１０参照）
【手続補正４】
【補正対象書類名】明細書
【補正対象項目名】００２５
【補正方法】変更
【補正の内容】
【００２５】
請求項３によれば、枕に頭部が必要以上沈下した場合は、肩から伸長した首部（頸椎部）は頭の沈降に追従できず、首部下の枕の反発力で前湾曲が強くなり、又必要なだけ沈降しなかった場合は、首部は首部の下の枕に押し付けられ前湾曲が小さくなりストレートネック状態になっていたが、「低反発軟質発泡樹脂」からなる前記枕１の「頭受け部」２の「略中央部」と仰臥した場合、肩に接する側になる長側面前１０の間の仰臥した場合頭を載せる面である天面３６から、底面３７の途中まで切れ目である隠しスリット１７を複数入れることで多角形の柱状の複数のブロックの集合体となり、「頭受け部」２の長側面前１０から略中央部分までの間の天面３６は複数の独立したブロックに分割され、塊であった反力はブロックの数に分散され、且つ小さい柱状の各ブロックは表面が曲面である首２９で押さえられると、各ブロック柱は曲面をした首２９の面に直角方向な、枕にとっては鉛直で無い方向に押され、横方向の変形も生じ、各ブロック本来の座屈限界荷重に到る以前に座屈が生じてしまう、この横方向のたわみで反力（反発力）は横方向にも分散するので反力は小さくなり首２９、への反力が減少し、枕１による肩こりが解消された。（図１２、図１０参照）又隠しスリット１７は部位によって深さを変える事で反力の強さを調節する。    
【手続補正５】
【補正対象書類名】明細書
【補正対象項目名】００３２
【補正方法】変更
【補正の内容】
【００３２】
以下、請求項１から８において次の効果があった。
図９を元に説明すれば、従来の枕に仰臥した場合、頭頂部３０から後頭部２３が枕１に沈下し、枕１の長側面前１０が首２９に強く当っているが、図１０・（図２・図１２）を元に説明すれば、本発明の枕１では頭頂部３０が枕１に大きく沈下しておらず、長側面前１０から略中央部分までの間の天面３６は空洞孔４、或は隠しスリット１７、或は「中綴じ」で「頭受け部」２の反力を小さくしているので、枕１の長側面前１０側の天面が首２９に強く当っても圧迫せず、強く押し上げていないので容易に寝返りが可能となり、ＯＳＡＳが軽減され肩こりが起きない、又「負荷受け部」３は１ｍｍ程度の厚さ、があれば良いので、枕の使用感が損なわれることがない。又「負荷受け部」３が「高反発硬質樹脂」或は「高反発硬質発泡樹脂」の場合、負荷を受けると、曲げたわむ能力である可撓性（可とう性）を有しているので、寝具と枕１の間で硬直物であることがない。
【手続補正６】
【補正対象書類名】明細書
【補正対象項目名】００４１
【補正方法】変更
【補正の内容】
【００４１】
さらに「低反発軟質発泡樹脂」、からなる群から選択した一つからなる、前記「頭受け部」
に、仰臥した場合肩に接する側になる長側面前１０から前記「頭受け部」の前後の略中央部分までの間の頚椎部である首２９を受ける部分に円、或は楕円、或は多角形の空洞孔４、或はスリット５と一体の円、或はスリット５と一体の楕円、スリット５と一体の多角形の空洞孔４を頭の横幅以上の長さで長側面前１０と平行に一本、或は複数本備えた、これにより骨格、肉付き等の違いによる頭３５から首２９の大きさに違いがあっても、空洞孔４が負荷、反力を受けると空洞孔４が変形して負荷、反力を吸収する事で高さ調節をしなくても、肩こりを防止し、スリット５により金型から円、或は楕円、多角形の部分をムリ抜きが可能となった、或は切削加工、或は熱溶断加工、或は高圧ウオーターカット工法が可能とした。
【手続補正７】
【補正対象書類名】明細書
【補正対象項目名】００４２
【補正方法】変更
【補正の内容】
【００４２】
或は、図１２を元に説明すれば、ポリウレタンフォーム等の「低反発軟質発泡樹脂」からなる枕１の前記「頭受け部」に仰臥した場合、肩に接する側になる長側面前１０から前記「頭受け部」の前後の略中央部分までの間の仰臥した場合、頭を載せる面である天面３６から底面３７の途中まで切れ目である隠しスリット１７を複数入れることで多角形の柱状の複数のブロックの集合体となり、前記「頭受け部」２の長側面前１０から略中央部分までの間の天面３６は複数の独立したブロックに分割され、塊であった反力はブロックの数に分散され、且つ小さい柱状の各ブロックは表面が曲面である首２９に当ると、各ブロック柱は曲面をした首２９の面に直角方向であるが、枕にとっては鉛直で無い方向に押され、横方向の変形も生じ、各ブロック本来の座屈限界荷重に到る以前に座屈が生じてしまう、この横方向のたわみで反力（反発力）は横方向にも分散するので反力は小さくなり首２９、への反力を減少させ肩こりを防止する。隠しスリット１７を部位によって深さを変える事で反力の強さを調節する、又「頭受け部」２の反発力が弱い場合には「頭受け部」２の底面３７に負荷受け部３を、肩に接しない側で有る長側面後１６から略中央部にかけて設ける。  
【手続補正８】
【補正対象書類名】明細書
【補正対象項目名】００５２
【補正方法】変更
【補正の内容】
【００５２】
図１を元に説明すれば、「低反発軟質発泡樹脂」からなる群から選択した一つからなる前記「頭受け部」２の反力（反発力）を、首２９から肩３３には減少させる為に円、或は楕円、或は多角形の空洞孔４、或はスリット５と一体の円、或は楕円、或は多角形の空洞孔４を、
肩に接する側になる長側面前１０から前記「略中央部」までの間の天面３６と底面３７の間に、頭３５の横幅以上の長さで長側面前１０に平行に一ケ所或は、複数ケ所備える、
【手続補正９】
【補正対象書類名】明細書
【補正対象項目名】００５３
【補正方法】変更
【補正の内容】
【００５３】
或は、図１２を元に説明すれば、前記「頭受け部」２の前後の「略中央部」から仰臥した場合、肩に接する側になる長側面前１０の仰臥した場合、頭を載せる面である天面３６から底面３７の途中まで切れ目である隠しスリット１７を複数入れることで多角形の柱状の複数のブロックの集合体とし、前記「頭受け部」２の上部が柱状体の独立した複数のブロックの集合体とする事で首２９への反力を分散減少させる。隠しスリット１７は部位によって深さを変える事で反力を調整する。    
【手続補正１０】
【補正対象書類名】特許請求の範囲
【補正対象項目名】全文
【補正方法】変更
【補正の内容】
【特許請求の範囲】
【請求項１】
枕１は、枕形状の「低反発軟質発泡樹脂」からなる群から選択した一つからなる、頭を受ける「頭受け部」２からなり、前記「頭受け部」２より相対的に硬質な、「高反発硬質発泡樹脂」からなる群から選択した一つ、或は「高反発硬質樹脂」からなる群から選択した一つ、或は軽金属、木、からなる群から選択した一つからなる、頭の付加を受ける板状の「負荷受け部」３を、前記「頭受け部」２の中層、或は下側の、前記「頭受け部」２の前後の略中間である「略中央部」から長側面後１６にかけて備えた事を、特徴とした閉塞型睡眠時無呼吸症候群を解消する枕。＜実施例１・図１参照＞
【請求項２】
前記「頭受け部」２、の長側面前１０から略中央部分までの間の天面３６と底面３７の間に、円、或は楕円、或は多角形の空洞孔４、或はスリット５と一体の円、或はスリット５と一体の楕円、或はスリット５と一体の多角形の空洞孔４を、頭３５の横幅以上の長さで、前記長側面前１０に平行に一つ、或は複数備えた事を特徴とし、請求項１に記載の閉塞型睡眠時無呼吸症候群を解消する枕。＜実施例１・図1参照＞

【請求項３】
前記「頭受け部」２の長側面前１０から略中央部分までの間の、天面３６から底面３７の途中まで切れ目である、隠しスリット１７を複数入れ、天面３６を柱状の複数のブロックの集合体した事を特徴とし、請求項１に記載の閉塞型睡眠時無呼吸症候群を解消する枕。  ＜実施例１・図１２参照＞

【請求項４】
「綿状物」６からなる、前記「頭受け部」２の前後の、前記「略中央部」から長側面後１６にかけて、前記「頭受け部」２より相対的に硬質な前記「負荷受け部」３を、前記「頭受け部」２の中層、或は下側の前記「略中央部」から長側面後１６にかけて備えた事を、特徴とした閉塞型睡眠時無呼吸症候群を解消する枕。＜実施例２・図２参照＞

【請求項５】
前記「綿状物」６からなる、前記「頭受け部」２の、頭を受ける天面３６の内カバー４１の外側、とその対面である底面３７の内カバー４１の外側から、内側の「充填物」１１、諸共糸、或は、紐を貫通させて、締め込んで、圧縮した状態で前記「略中央部」から長側面前１０を結び括る（縛る）「中綴じ」を、複数個所で行い、前記「負荷受け部」３を、前記「頭受け部」２の中層、或は下側の前記「略中央部」から長側面後１６にかけて備えた事を、特徴とした閉塞型睡眠時無呼吸症候群を解消する枕。＜実施例２・図２参照＞

【請求項６】
枕形状の袋体９に「粒状物」２６からなる群から選択された一つを充填して、前記「頭受け部」２の、前記「略中央部」から、長側面後１６にかけて、前記「頭受け部」２より相対的に硬質な、前記「負荷受け部」３を、前記「頭受け部」２の中層、或は下側の前記「略中央部」から長側面後１６にかけて備えた事を、特徴とした閉塞型睡眠時無呼吸症候群を解消する枕。＜実施例３・図３参照＞

【請求項７】
前記、枕形状の袋体９からなる、前記「頭受け部」２の、前記「略中央部」で長側面前１０及び長側面後１６と直交する両側の短側面と天面３６と底面３７に仕切り布を縫合して、前記「頭受け部」２を前後に分割し、前後を分離する仕切り布が、弾性を有するストレッチ生地からなる、弾性仕切り４２である事を特徴とし、前記「負荷受け部」３を、前記「頭受け部」２の中層、或は下側の前記「略中央部」から長側面後１６にかけて備えた事を、特徴とした、請求項６に記載の閉塞型睡眠時無呼吸症候群を解消する枕。＜実施例３・図３参照＞  
【請求項８】
短側面と長側面からなる長方形の長手方向の、片方の短側面の端部に設けたポケット７に、前記「負荷受け部」３を挿入した、帯状体８である事を特徴とする、閉塞型睡眠時無呼吸症候群を解消する枕。＜実施例４・図４参照＞  
【請求項９】
板状の前記「負荷受け部」３の形状は、短側面に交わる長側面の、一辺から対向する一辺までが板状である事を特徴とする、或は短側面に交わる長側面の、一辺から対向する一辺まで直線の登り勾配の板状である事を特徴とする、或は短側面に交わる長側面の一辺から対向する一辺まで曲線の登り勾配の板状である事を特徴とする、或は短側面に交わる長側面の一辺、から対向する一辺までが板状で、片方の長側面の中央に切り欠き部４４を設け、その両側に側面付加受け部４３を有する板状である事を特徴とする、これらの郡のうちの一つからなる前記「負荷受け部」３を特徴とした、請求項１から８の何れかに記載の閉塞型睡眠時無呼吸症候群を解消する枕。＜実施例５・図５、図６、図７、図８参照＞
【手続補正１１】
【補正対象書類名】図面
【補正対象項目名】図１２
【補正方法】変更
【補正の内容】
【図１２】
2019076681.tif 000001